(57)【要約】 【課題】  外観は従来の座布団と同様でありながら、着座している間は肛門およびその周辺部への圧力が弱く、痔疾患者でも使用し易い座布団を提供する。【解決手段】  座布団１は、弾性材からなる弾性部材１０を袋カバー２に入れてなり、弾性部材１０は、肛門および肛門周辺部を受けるための肛門受部１２を残して凹んだ形状の収納凹部１３を有し、コイルスプリング２１を収容袋２２に収容したポケットコイル２０の複数を着座者の体重を受ける方向に伸縮する向きに収納凹部１３内に配置し、着座者が着座したときの肛門および肛門周辺部への圧力を少なくするよう肛門受部１２が肛門および肛門周辺部を受けるようにした。【選択図】図１
2006212256.tif 000002
【特許請求の範囲】
【請求項１】
弾性部材を所定の形状に成形して袋カバーに入れた座布団において、
前記弾性部材は、肛門および肛門周辺部を受けるための肛門受部を残して凹んだ形状の収納凹部を有し、
コイルスプリングを収容袋に収容したポケットコイルの複数を着座者の体重を受ける方向に伸縮する向きに前記収納凹部内に配置し、
着座者が着座したときの肛門および肛門周辺部への圧迫を少なくするよう前記肛門受部が肛門および肛門周辺部を受けるようにしたことを特徴とする座布団。
【請求項２】
前記収容袋は、隣り合う収容袋同士を繋いだことを特徴とする請求項１に記載の座布団。
【請求項３】
前記隣り合う収容袋同士を繋いだ全体形状が前記収納凹部の内側の形状に沿った形状を有することを特徴とする請求項１または２に記載の座布団。
【請求項４】
前記ポケットコイルを収容した前記収納凹部を覆うための蓋を備えたことを特徴とする請求項１，２または３に記載の座布団。
【請求項５】
前記収納凹部に収容された複数のポケットコイルを下から支持する支持部を備えたことを特徴とする請求項１，２，３または４に記載の座布団。
【発明の詳細な説明】
【技術分野】
【０００１】
本発明は、弾性部材を所定の形状に成形して袋カバーに入れた座布団に関する。
【背景技術】
【０００２】
従来から椅子や自動車のシートに載せて使用する座布団は種種提案され、また、市販されている。その中には、痔など肛門に疾患を持つ疾患者の利用を考慮したものも多数あり、例えば、特許文献１には痔疾患者用座ぶとん型シートが開示されている。  
すなわち、シートの中央部に空間を設けて、着座した際に肛門部が圧迫されないようにしたものである。
【０００３】
【特許文献１】実開平６−５０５５３号公報
【発明の開示】
【発明が解決しようとする課題】
【０００４】
しかしながら、このような従来の技術では、着座時に肛門の位置する部分を大きく切り欠いているので、形状が特異で目立つものとなっている。このため、このようなシートの使用者は、痔などの肛門の疾患を持っていることを知られてしまい、恥ずかしい思いをすることがあるという問題点があった。
【０００５】
本発明は、このような従来の技術が有する問題点に着目してなされたもので、外観は従来の座布団と同様でありながら、着座している間は肛門およびその周辺部への圧迫が弱く、痔疾患者でも使用し易い座布団を提供することを目的としている。
【課題を解決するための手段】
【０００６】
かかる目的を達成するための本発明の要旨とするところは、次の各項の発明に存する。
［１］  弾性部材（１０）を所定の形状に成形して袋カバー（２）に入れた座布団（１）において、
前記弾性部材（１０）は、肛門および肛門周辺部を受けるための肛門受部（１２）を残して凹んだ形状の収納凹部（１３）を有し、
コイルスプリング（２１）を収容袋（２２，１２２）に収容したポケットコイル（２０，１２０）の複数を着座者の体重を受ける方向に伸縮する向きに前記収納凹部（１３）内に配置し、
着座者が着座したときの肛門および肛門周辺部への圧迫を少なくするよう前記肛門受部（１２）が肛門および肛門周辺部を受けるようにしたことを特徴とする座布団（１）。
【０００７】
［２］  前記収容袋（２２，１２２）は、隣り合う収容袋（２２，１２２）同士を繋いだことを特徴とする［１］に記載の座布団（１）。
【０００８】
［３］  前記隣り合う収容袋（１２２）同士を繋いだ全体形状が前記収納凹部（１３）の内側の形状に沿った形状を有することを特徴とする［１］または［２］に記載の座布団（１）。
【０００９】
［４］  前記ポケットコイル（２０，１２０）を収容した前記収納凹部（１３）を覆うための蓋（１４）を備えたことを特徴とする［１］，［２］または［３］に記載の座布団（１）。
【００１０】
［５］  前記収納凹部（１３）に収容された複数のポケットコイル（２０，１２０）を下から支持する支持部（１５）を備えたことを特徴とする［１］，［２］，［３］または［４］に記載の座布団（１）。
【００１１】
前記本発明は次のように作用する。  
本発明にかかる座布団（１）は、例えば、家具としての椅子や自動車のシートの上に載せて使用される。座布団（１）に着座者が着座した際には、着座者の肛門および肛門周辺部を肛門受部（１２）が受ける。
【００１２】
肛門受部（１２）の周囲の収納凹部（１３）内には、コイルスプリング（２１）を収容袋（２２，１２２）に収容したポケットコイル（２０，１２０）の複数が配置されている。これら複数のポケットコイル（２０，１２０）は、それぞれ着座者の体重を受ける方向に伸縮する向きに配置されている。このため、着座者の体重の殆どをポケットコイル（２０，１２０）が受ける。一方、肛門受部（１２）にはポケットコイル（２０，１２０）が配置されていないので、ポケットコイル（２０，１２０）よりも弾性が弱くて柔軟な弾性部材（１０）のみが肛門および肛門周辺部を受けることになり、それらへの圧迫が少なくなる。これにより、痔疾患者でも使用し易いものとなる。
また、弾性部材（１０）は袋カバー（２）内に収納されているので、外観は従来の座布団（１）と変わるところが無い。これによって、痔疾患者が使用しても痔疾を持っていることを他者に知られることがないので、メンタル面でも痔疾患者が使用し易いものとなる。
【００１３】
コイルスプリング（２１）を収容する収容袋（２２，１２２）は、［２］の座布団（１）のように隣り合う収容袋（２２，１２２）同士を繋いでもよい。これにより、収納凹部（１３）内でのポケットコイル（２０，１２０）の収まりを良くすることができる。また、収容袋（２２，１２２）同士が繋がれているので、着座者が着座したままで動いても、収納凹部（１３）内でポケットコイル（２０，１２０）の位置がずれてしまうことを防止でき、これにより、座布団（１）が変形したり、座り心地が悪化したりすることを防止できる。
【００１４】
さらに、収容袋（２２，１２２）は、［３］の座布団のように隣り合う収容袋（１２２）同士を繋いだ全体形状が前記収納凹部（１３）の内側の形状に沿った形状を有するものである場合には、収容袋（１２２）に収容した複数のポケットコイル（１２０）をそのまま一度に収納凹部（１３）に収納することができるので、収納凹部（１３）内へのポケットコイル（１２０）の配置が極めて容易になる。さらに、使用によってポケットコイル（１２０）の位置が変わろうとしても、複数のポケットコイル（１２０）の全体の配置が収容袋によって制限されているので、収納凹部（１３）内でポケットコイル（１２０）の位置が変わってしまうことによる座布団（１）の変形や座り心地の悪化などを一層に生じにくくすることができる。
【００１５】
［４］の座布団（１）では、収納凹部（１３）に収容したポケットコイル（２０，１２０）を蓋（１４）で覆った後に弾性部材（１０）を袋カバー（２）に入れる。この座布団（１）では、ポケットコイル（２０，１２０）が蓋（１４）に覆われており、着座したときに蓋（１４）がポケットコイル（２０，１２０）の硬質感を緩和するので、座り心地が向上する。
【００１６】
また、［５］の座布団（１）のように収納凹部（１３）に収容された複数のポケットコイル（２０，１２０）を下から支持するための支持部（１５）を備えてもよい。支持部（１５）としては、弾性部材（１０）よりも硬度の大きい部分を収納凹部（１３）に一体に成形したものでもよいし、弾性部材（１０）よりも硬度の大きい硬質材からなる板状部材を弾性部材（１０）の下に敷くように袋カバー（２）に入れるものでもよい。これにより、収納凹部（１３）の底部の厚さを薄くしてもポケットコイル（２０，１２０）は収納凹部（１３）内に安定して収納されるので、弾性部材（１０）全体の厚みを薄くすることができる。
【発明の効果】
【００１７】
本発明にかかる［１］に記載の座布団によれば、着座者の体重の殆どをポケットコイルが受け、また、ポケットコイルが配置されていない肛門受部のみが肛門および肛門周辺部を受けるので、肛門および肛門周辺部への圧迫が少なくなる。また、弾性部材は全体が袋カバーに収納されているので、外観は従来の座布団と変わるところがなく、痔疾患者が使用しても痔疾を持っていることを他者に知られることがない。これらによって、痔疾患者に使用し易い座布団となる。
【００１８】
さらに、［２］に記載の座布団のように隣り合う収容袋同士を繋ぐことが好ましく、複数のポケットコイルは、個々にばらばらに位置を変えることができず、収納凹部内での位置が安定するので、収納凹部内でポケットコイルの位置がずれてしまうことによる座布団の変形やそれに伴う座り心地の悪化などを防止することができる。
【００１９】
さらにまた、［３］に記載の座布団のように隣り合う収容袋同士を繋いだ全体形状が前記収納凹部の内側の形状に沿った形状を有することが好ましく、複数のポケットコイルを収容袋に収容したままで一度に収納凹部に収納できるので、収納凹部内へのポケットコイルの配置が極めて容易になる。さらに、複数のポケットコイルの全体の配置が収容袋によって制限されているので、収納凹部内でポケットコイルの位置がずれてしまうことによる座布団の変形やそれに伴う座り心地の悪化などを確実に防止することができる。
【００２０】
また、［４］に記載の座布団のようにポケットコイルを収容した収納凹部を覆うための蓋を備えることが好ましく、着座したときに蓋がポケットコイルの硬質感を緩和するので、座り心地を向上させることができる。
【００２１】
また、［５］に記載の座布団のように収納凹部に収容された複数のポケットコイルを下から支持する支持部を備えることが好ましく、支持部がポケットコイルを支持するので、収納凹部の底部の厚さを薄くしてもポケットコイルを収納凹部内に安定して収納することができる。また、これにより、弾性部材全体の厚みを薄くすることができる。
【発明を実施するための最良の形態】
【００２２】
以下、図面に基づき本発明の好適な一実施の形態を説明する。  
各図は本発明の一実施の形態を示している。  
図１に示すように、本発明の一実施の形態にかかる座布団１は、複数のポケットコイル２０を収納した弾性部材１０を袋カバー２に収納したものである。弾性部材１０は、例えばウレタンを所定の形状に射出成形したものであり、着座面１１が矩形である直方体に形成されている。なお、外形が矩形の着座面を有する直方体は弾性部材１０の所定形状の例示であり、着座面が円形、半円形、三角形、その他の形状を有する立体であってもよい。
【００２３】
弾性部材１０は、着座者の肛門および肛門周辺部を受けるための肛門受部１２を残して凹んだ形状に形成されている。この凹んだ部分は、複数のポケットコイル２０を収納するための収納凹部１３である。ポケットコイル２０は、１つのコイルスプリング２１を１つの収容袋２２に収容したものである。コイルスプリング２１は、例えば金属製であるが、弾性を有する樹脂等で作られたものでもよい。
【００２４】
各ポケットコイル２０は、コイルスプリング２１の伸縮する向きと着座者の体重を受ける方向とを一致させて配置されている。すなわち、図１に示すようにポケットコイル２０は、コイルスプリング２１を収納凹部１３の底部に真直ぐに立てて配置されている。
【００２５】
図３に示すように、各ポケットコイル２０の収容袋２２は、隣り合う収容袋２２同士で繋がれている。収容袋２２同士は糸で縫うように繋いでもよいし、合成樹脂や合成繊維で作られたものであるならば溶着によって繋いでもよい。また、大きな１つの袋状のものを縫ったり、あるいは溶着したりして、コイルスプリング２１が１つずつ入る大きさの複数の袋状部分に区分してもよい。
【００２６】
隣り合う収容袋２２同士を繋いだものは、図３に示したように１本の帯状のものでもよいし、図５に示したように他の形状を有するようにしてもよい。隣り合う収容袋２２同士を１本の帯状に繋いだものの場合には、適宜に折り返しながら収納凹部１３に収納することができる。この場合、帯状に繋いだものを１本だけで収納するようにしてもよいし、複数本に分けて収容してもよい。
【００２７】
また、図５に示した例では、ポケットコイル１２０の収容袋１２２同士を繋いだ全体形状が、収納凹部１３の内側の形状に沿った形状に形成されている。この場合、各収容袋１２２にコイルスプリング２１を収納してから全体を一度に収納凹部１３に収納することができる。
【００２８】
収納凹部１３が形成されていない肛門受部１２は、弾性部材１０の周縁部から中心に向かって延びるように形成されている。先端部１２ａは、中心部付近まで延びている。肛門受部１２は、ポケットコイル２０が収納されている部分よりも弾性が弱いので、肛門および肛門周辺部が肛門受部１２の上になるように座ることにより、肛門および肛門周辺部への圧迫が小さくなる。
【００２９】
弾性部材１０は、ポケットコイル２０を収納した収納凹部１３の上を覆うための蓋１４を備えている。蓋１４は、弾性部材１０と同じ素材によって形成したものでもよいし、弾性部材１０の硬度とは異なる硬度の素材によって形成したものでもよい。これにより、着座者が座布団１に着座したときに蓋１４がポケットコイル２０の硬質感を緩和したり、ポケットコイル２０そのものの接触感をなくしたりするので、座り心地が向上する。
【００３０】
座布団１は、収納凹部１３に収容された複数のポケットコイル２０を下から支持する支持部１５を弾性部材１０の底部側に備えている。この支持部１５は、弾性部材１０よりも硬度の大きい素材のものを収納凹部１３に一体に成形したものである。これにより、収納凹部１３の底部の厚さを薄くしてもポケットコイル２０を収納凹部１３内に安定して収納できるので、弾性部材１０の厚みを薄くすることができる。
【００３１】
なお、この支持部１５は、弾性部材１０とは別体の板状部材として、弾性部材１０の下に敷くようにして袋カバー２に入れるものであってもよい。
【００３２】
前記本発明は次のように作用する。  
図１において、座布団１は、例えば、室内に置かれる椅子や自動車の座席に載せて使用する。座布団１は、周縁部から肛門受部１２が延びている側を前にしてもよいし後ろにしてもよい。肛門受部１２は、前記したようにポケットコイル２０を収納した部分よりも弾性が弱いので、例えば痔疾患者が使用する場合には、座布団１に着座したときに、肛門および肛門周辺部が肛門受部１２の上になる向きに座布団１を置けばよい。
【００３３】
肛門受部１２の周囲の収納凹部１３内には、コイルスプリング２１を収容袋２２に収容したポケットコイル２０の複数が配置されており、これらが主として着座者の体重を受ける。座布団１の着座者は、肛門および肛門周辺部が肛門受部１２のみによって受けられるように座ることができるので、それらへの圧力が少なくなる。これにより、痔疾患者でも使用し易いものとなる。また、弾性部材１０は全体が袋カバー２に収納されているので、外観は従来の座布団と変わるところが無い。このため、痔疾患者が使用しても痔疾を持っていることを知られることがないので、痔疾患者は決まりの悪い思いをすることなく、心理的にも使用し易いものとなる。
【００３４】
コイルスプリング２１を収容する収容袋２２は、隣り合う収容袋２２同士を繋いであるので、収納凹部１３内にポケットコイル２０を収納する際に容易であるとともに収まりが良い。また、収容袋２２同士が繋がれていることにより、着座者が座ったままで動いても、収納凹部１３内でポケットコイル２０の位置がずれ難くなる。これにより、座布団１が変形したり、座り心地が悪化したりすることを防止できる。
【００３５】
特に、収容袋を繋いだ全体形状が図５に示したように収納凹部１３の内側の形状に沿った形状を有するものである場合には、収容袋１２２に収容した複数のポケットコイル１２０をそのまま一遍に収納凹部１３に収納することができ、しかも、収納凹部１３の形状に合った適切な配置が可能であるとともに収納状態でのポケットコイル２０の位置調整も殆ど不要であるので、収納凹部１３内へのポケットコイル２０の配置が極めて容易である。さらに、着座中の着座者の動きや粗雑な取扱いなどによってポケットコイル２０の位置がずれるような力が加わっても、複数のポケットコイル２０の全体の配置が収容袋２２によって制限されているので、収納凹部１３内でポケットコイル２０の位置が維持される。したがって、座布団１の変形や座り心地の悪化などをより良く防止することができる。
【００３６】
また、蓋１４によって収納凹部１３が覆われているので、着座者が座布団１に着座したときに蓋１４が緩衝するので、ポケットコイル２０の硬質感やポケットコイル２０そのものの接触感が緩和され、あるいは、接触感がなくなって座り心地が向上する。
【００３７】
さらに、座布団１には、収納凹部１３の下に設けられた硬質な支持部１５が収納凹部１３に収容された複数のポケットコイル２０を下から支持するので、ポケットコイル２０は収納凹部１３内に安定して収納できるとともに、弾性部材１０の厚みを薄くすることができる。
【００３８】
前記実施の形態においては、肛門受部１２を弾性部材１０の中心までは至っていないように図示してあるが、中心まで至っていてもよいし、中心を越えて延びていてもよい。さらには、向かい側の周縁部まで延びて繋がっていてもよい。さらにまた、肛門受部１２は、周縁部から離隔して形成されてもよい。
【図面の簡単な説明】
【００３９】
【図１】本発明の一実施の形態に係る座布団を示す斜視図である。
【図２】本発明の一実施の形態に係る座布団を示す側面図である。
【図３】図１の座布団に収容するポケットコイルを示す側面図である。
【図４】図３のポケットコイルを示す平面図である。
【図５】図１の座布団に収容するポケットコイルの他の例を示す平面図である。
【符号の説明】
【００４０】
１…座布団
２…袋カバー
１０…弾性部材
１１…着座面
１２…肛門受部
１２ａ…先端部
１３…収納凹部
１４…蓋
１５…支持部
２０，１２０…ポケットコイル
２１…コイルスプリング
２２，１２２…収容袋
【図１】
2006212256.tif 000003
【図２】
2006212256.tif 000004
【図３】
2006212256.tif 000005
【図４】
2006212256.tif 000006
【図５】
2006212256.tif 000007